(57)【特許請求の範囲】
【請求項１】
筐体と、
その筐体の一部に設けられ、シリンジを保持するシリンジ保持部と、
該シリンジ保持部に保持されたシリンジのピストン部材を移動させるピストン駆動機構と、
前記筐体の他の一部に設けられた、所定の情報を表示する表示部と、
を備える医療用機器であって、
前記表示部は、
前記筐体の内側に配置された複数の光源と、
前記筐体の内面と前記光源との間に配置され、その表面に所定の文字が表される文字表示ユニットと、を有し、
前記光源が点灯している状態では、前記光源からの光が前記筐体を透過することによって当該文字を前記筐体の外から視認することができ、
前記光源が点灯していない状態では、文字を前記筐体の外から視認することができないように構成されており
文字表示ユニットは、各光源からの光を筐体側へと導く複数の導光片と、前記複数の導光片の間の隙間を遮光する遮光部材と、を有している、
医療用機器。
【請求項２】
前記光源は、基板上に配置された複数のＬＥＤである、請求項１に記載の医療用機器。
【請求項３】
前記ＬＥＤが、７セグメント表示に対応した位置に配置され、
各ＬＥＤ上に前記導光片が１つずつ配置されている、請求項２に記載の医療用機器。
【請求項４】
前記複数の導光片の高さに差が設けられていることにより、湾曲した文字表示面が構成されている、請求項２または３に記載の医療用機器。
【請求項５】
湾曲した前記文字表示面に合わせて、前記遮光部材も湾曲している、請求項４に記載の医療用機器。
【請求項６】
筐体と、
その筐体の一部に設けられ、シリンジを保持するシリンジ保持部と、
該シリンジ保持部に保持されたシリンジのピストン部材を移動させるピストン駆動機構と、
前記筐体の他の一部に設けられた、所定の情報を表示する表示部と、
を備える医療用機器であって、
前記表示部は、
前記筐体の内側に配置された複数の光源と、
前記筐体の内面と前記光源との間に配置され、その表面に所定の文字が表される文字表示ユニットと、を有し、
前記光源が点灯している状態では、前記光源からの光が前記筐体を透過することによって当該文字を前記筐体の外から視認することができ、
前記光源が点灯していない状態では、文字を前記筐体の外から視認することができないように構成されており、
文字表示ユニットは、各光源からの光を筐体側へと導く複数の導光孔が形成された部材である、
医療用機器。
【請求項７】
前記導光孔が、７セグメント表示に対応した位置に形成されている、請求項６に記載の医療用機器。
【請求項８】
前記筐体の内面のうち、前記文字表示ユニットに対向する領域の周囲に、前記光源からの光が透過するのを防止するための塗装が施されている、請求項１〜７のいずれか１項に記載の医療用機器。
【請求項９】
前記表示部が前記筐体の上面に設けられている、請求項１〜８のいずれか１項に記載の医療用機器。
【請求項１０】
前記シリンジ内の薬液が造影剤である、請求項１〜９のいずれか１項に記載の医療用機器。
【請求項１１】
前記光源は、基板上に配置された複数のＬＥＤである、請求項６に記載の医療用機器。
【発明の詳細な説明】
【技術分野】
【０００１】
本発明は、被験者に薬液を注入するための医療用機器に関し、特には、造影剤や生理食塩水などの薬液が筐体内に浸入するおそれが無く、しかも装置の清掃を行い易い医療用機器に関する。
【背景技術】
【０００２】
現在、医療用の画像診断装置として、ＣＴ(Computed Tomography)スキャナ、ＭＲＩ(Magnetic Resonance Imaging)装置、ＰＥＴ(Positron
Emission Tomography)装置等が知られている。このような撮像装置を使用する際、被験者に造影剤や生理食塩水など（以下、これらを単に「薬液」とも言う）を注入することがある。【０００３】
また、この薬液注入を自動で行う注入ヘッドも種々提案されている。例えば特許文献１（図９参照）では、注入ヘッドに液晶表示部（ディスプレイ）が設けられその液晶表示部に所定の情報（警告等）が表示されるものが開示されている。
【先行技術文献】
【特許文献】
【０００４】
【特許文献１】特開２００４−３１３２４３
【発明の概要】
【発明が解決しようとする課題】
【０００５】
薬液注入が正常に行われているかどうか確認するため、または、何らかの異常が発生した場合にオペレータにその異常を知らせるため、上記従来技術のように注入ヘッドに何らかの表示部が設けられていることは有用である。【０００６】
一方、注入ヘッドの筐体部分にそのような表示部を設けるためには、一般に、筐体の一部に開口部を形成するとともにその開口部の内側に表示ユニットを配置し、その開口部を覆うように例えば透明のウィンドウ部材が嵌め込まれる構造が採られることが多い。【０００７】
しかしながらそのような構造では、薬液が注入ヘッド上に漏出した場合に、ウィンドウ部材と筐体との隙間から薬液が浸入するするおそれがある。浸入しないとしても、ウィンドウ部材と筐体との接合部分（凹凸部）に付着した薬液をきれいに拭き取るのには手間がかかる。特に、造影剤は乾くと糊状に固着するので、生理食塩水等に比べて拭き取るのが困難である。【０００８】
本発明は上記課題に鑑みてなされたものであって、その目的は、造影剤や生理食塩水などの薬液が筐体内に浸入するおそれが無く、しかも装置の清掃を行い易い医療用機器を提供することにある。
【課題を解決するための手段】
【０００９】
上記課題を解決するための本発明の医療用機器は、
筐体と、
その筐体の一部に設けられ、シリンジを保持するシリンジ保持部と、
該シリンジ保持部に保持されたシリンジのピストン部材を移動させるピストン駆動機構と、
前記筐体の他の一部に設けられた、所定の情報を表示する表示部と、
を備える医療用機器であって、
前記表示部は、
前記筐体の内側に配置された光源と、
前記筐体の内面と前記光源との間に配置され、その表面に所定の文字が表される文字表示ユニットと、を有し、
前記光源が点灯している状態では、前記光源からの光が前記筐体を透過することによって当該文字を前記筐体の外から視認することができ、
前記光源が点灯していない状態では、文字を前記筐体の外から視認することができないように構成されている。【００１０】
本発明は、また、次のようなものであってもよい。【００１１】
前記光源は、基板上に配置された複数のＬＥＤであり、
文字表示ユニットは、
各ＬＥＤからの光を筐体側へと導く複数の導光片と、
前記複数の導光片の間の隙間を遮光する遮光部材と、
を有している、医療用機器。【００１２】
前記ＬＥＤが、７セグメント表示に対応した位置に配置され、
各ＬＥＤ上に前記導光片が１つずつ配置されている、医療用機器。【００１３】
前記複数の導光片の高さに差が設けられていることにより、湾曲した文字表示面が構成されている、医療用機器。【００１４】
湾曲した前記文字表示面に合わせて、前記遮光部材も湾曲している、医療用機器。【００１５】
前記筐体の内面のうち、前記文字表示ユニットに対向する領域の周囲に、前記光源からの光が透過するのを防止するための塗装が施されている、医療用機器。【００１６】
前記表示部が前記筐体の上面に設けられている、医療用機器。
このように筐体上面に表示部が設けられている場合、当該表示部にシリンジ内の薬液が付着する可能性が高く、薬液の浸入等の問題が生じやすいので、本発明を適用することが特に有用である。【００１７】
前記シリンジ内の薬液が造影剤である、医療用機器。
【発明の効果】
【００１８】
本発明によれば、造影剤や生理食塩水などの薬液が筐体内に浸入するおそれが無く、しかも装置の清掃を行い易い医療用機器を提供することができる。
【図面の簡単な説明】
【００１９】
【図１】本発明の一形態の注入ヘッドを示す図であり、（ａ）が平面図、（ｂ）がヘッドを後方から見た図である。
【図２】図１の注入ヘッドの表示部の構成を示す分解斜視図である。
【図３】図２の一部を拡大して示す分解斜視図である。
【図４】表示部の構成を示す断面図である。
【図５】表示部を下側から見た分解斜視図である。
【図６】ＬＥＤの上に配置される光路形成部材の側面図（半分は縦断面図）である。
【図７】表示部の他の構成例を示す断面図である。
【発明を実施するための形態】
【００２０】
以下、図面を参照して本発明の実施の一形態を説明する。図１は、本発明の注入ヘッドの一例であり、図１（ａ）において左側が注入ヘッド前側であり、右側が注入ヘッドの後側である。
この注入ヘッド１００は、２本のシリンジ２００Ａ、２００Ｂ（以下、単にシリンジ２００ともいう）を装着可能なアンギオ用の二筒式ヘッドである。注入ヘッド１００は、前後方向にやや長く形成された筐体１１１（一例として樹脂製）を備えている。筐体１１１上面の前側には、各シリンジ２００を保持するシリンジ保持部１２１が設けられている。
【００２１】
シリンジ保持部１２１は、この例では、シリンジの破損を防止するための略円筒状の保護ケース２０５が取り付けられた状態でシリンジ２００を保持する。シリンジ保持部１２１の形状は、保護ケース２０５の外周面の下側ほぼ半分を保持できるよう、半円筒状の凹部である。各シリンジ保持部１２１には、開閉自在に構成されたクランパー１２２、１２２が設けられており、これらのクランパー１２２で保護ケース２０５の基端部を保持することにより、保護ケース２０５が固定される。なお、それぞれのクランパー１２２は、ヘッドの側面側に位置する端部が軸支されており、この端部を支点として開閉するように構成されている。
【００２２】
なお、シリンジ２００自体は従来公知のものを利用でき、一例として、略円筒状のシリンダ部材と、それにスライド可能に挿入されたピストン部材とを有している。ピストン部材としては、棹部材の先端にプランジャが取り付けられたもの（ロッドタイプ）であってもよいし、実質的にプランジャのみのもの（ロッドレスタイプ）であってもよい。
【００２３】
図示は省略するが、注入ヘッド１００はこのピストン部材を前後に移動させるためのピストン駆動機構を内蔵している。ピストン駆動機構は、この種の注入ヘッド１００で従来使用されているものを利用可能であり、一例として、駆動源であるモータと、そのモータからの動力を伝達する機構と、その機構によって伝達された力を受けて進退移動するプレッサー部材とを有している。
【００２４】
「注入ヘッド」としては、そのピストン駆動機構や表示部の動作を制御する制御手段が内蔵されるものであってもよい。または、別体のコントローラユニットに内蔵された制御手段によってピストン駆動機構等の動作が制御されるものであってもよい。
【００２５】
特に限定されるものではないが、図１の例では、水平方向に延びる軸１８１によって筐体１１１の側面が保持されている。注入ヘッド１００はこの軸１８１周りに回転可能であり、これにより、注入ヘッド１００の前側（シリンジ側）を、上方に向けたり下方に向けたりすることができる。なお、この軸１８１は、例えば可動式のスタンド（不図示）の上端部分に設けられたものであってもよい。あるいは、軸１８１は、天吊り式の保持機構の一部に設けられたものであってもよいし、所定のベッド等に固定されて使用されるベッドサイドアームの一部に設けられたものであってもよい。
【００２６】
筐体１１１の後端部分には、各シリンジ２００Ａ、２００Ｂに対応して、マニュアルノブ１１３Ａ、１１３Ｂが設けられている。このマニュアルノブ１１３Ａ、１１３Ｂを手動で回すことにより、各ピストン駆動機構のプレッサー部材を任意の位置に移動させることができる。
【００２７】
筐体１１１の上面のうち、後側ほぼ半分を占める領域１１１Ｒには、所定の情報が表示される表示部５０Ａ、５０Ｂ（以下、単に表示部５０ともいう）や、この注入ヘッド１００に所定の動作を行わせるための幾つかのボタン１１４が配置されている。表示部５０Ａはシリンジ２００Ａに対応し、表示部５０Ｂはシリンジ２００Ｂに対応する。
【００２８】
図１（ｂ）に示すように、この注入ヘッド１１０の筐体上面のうちシリンジ２００Ａ側は、上方に膨らむようにカーブした湾曲面１１１Ａとなっている。一方、シリンジ２００Ｂ側は、フラットな水平面１１１Ｂとなっている。
【００２９】
次に、表示部５０Ａ、５０Ｂの詳細な構造について、図２〜図４も参照して説明する。なお、両表示部の構造は基本的に同じであるので、以下、表示部５０Ａの構造を例として説明する。
【００３０】
図２に示すように、この表示部５０は、基板２８上に実装された複数のＬＥＤ２６（光源）と、そのＬＥＤ２６と筐体１１１との間に配置された文字表示ユニット２０とを有している。「文字表示ユニット２０」とは、その上面に文字表示面３１ａが構成され、この文字表示面３１ａに所定の情報が表示されるものをいう。この例では、文字表示面３１ａは凸状の湾曲面であり、この湾曲面のカーブは、筐体１１１の内面のカーブに対応している。
【００３１】
文字表示面３１ａに表示される文字は、特に限定されるものではないが、この例では７セグメント表示の３桁の数字と、「ｍｌ」の文字とが表示される。これにより例えば「１５０ｍｌ」というような文字が表示可能となる。これは、シリンジ２００内の薬液の残量が１５０ｍｌであることを意味する。
【００３２】
このような表示を実現するため、文字表示ユニット２０は、基板上の各ＬＥＤ２６からの光を筐体１１１側へと導く導光部材アセンブリ２１と、その導光部材アセンブリ２１の上方に配置される遮光カバー３１とを有している。
【００３３】
図３に示すように、導光部材アセンブリ２１は、３桁の７セグメントの数字を表示するように配置された複数の導光片２２ａを有している。その複数の導光片２２ａの両側には、上面に「ｍｌ」の文字が凸状に形成された導光片２２ｂと、２つの三角形の導光片２２ｃとが設けられている。各導光片２２ａ〜２２ｃはＬＥＤ２６の光軸上に配置されている。１つの三角形２２ｃは前方を向き、他方の三角形２２ｃは後方を向いている。導光片２２ａ〜２２ｃはいずれも光を透過する樹脂製の部品であり、下面から入射した光を上方へと導いて、上面から出射する。
【００３４】
各導光片２２ａ〜２２ｃの下には、光源としてＬＥＤ２６が１つずつ（一例）配置されている。例えば、７セグメントの表示部分には、７つのＬＥＤ２６が配置されている。
各導光片２２ａ〜２２ｂは別々の部品であってもよいし、複数の導光片の一部または全部を集合させて１つの部品としてもよい。
【００３５】
なお、基板２８の実装面（図２の上面）の色は特に限定されるものではないが、一例として黒色等とすることによりＬＥＤ２６からの光の反射を抑える構成としてもよい。このような構成によれば、基板上での光の反射が抑えられるので、筐体の意図しない部位からの光の漏出や、光の反射によって文字表示が不明瞭となる等の問題を防止することができる。
【００３６】
各導光片２２ａ〜２２ｃの高さを異ならせることで、筐体１１１内面のカーブに沿った湾曲したの文字表示面３１ａを構成することができる。
【００３７】
図３に示すように、遮光カバー３１は、導光片２２ａ〜２２ｃ全体を上から覆うように被せられるカバーである。このカバー３１は、上面３１ａ（文字表示面）と、その上面３１ａの周縁から下方に向かって延び出した周壁とを有している。上面３１ａには、各導光片２２ａ〜２２ｃの輪郭形状に対応した開口部３１ｂが形成されている。導光片２２ａ〜２２ｃを通じて筐体側へと導かれた光は、この開口部３１ｂを通って筐体内面に向けて照射される。
【００３８】
遮光カバー３１の上面３１ａは透光性を有しておらず、導光片の間の隙間を埋める遮光部材としての役割を果たす。このような上面３１ａが設けられていることにより、各導光片からの光が混ざることが防止され、その結果、文字を明瞭に表示させることが可能となる。
【００３９】
なお、後述するように、この上面３１ａが対向する筐体１１１の部分は薄肉部になっている。よって、この上面３１ａが例えば黒色などの濃い色であると、筐体１１１の薄肉部を通じてこの上面３１ａが外部から見えるおそれがある。そこで、上面３１ａの色は白色などの明るい色とすることが望ましい。遮光性能を確保するために、遮光カバー３１の材質自体は黒色などの濃い色としつつ、外観面に塗装（例えば白色）を施すようにしてもよい。
【００４０】
図４の断面図に示すように、組立状態では、遮光カバー３１の上面３１ａ（文字表示面）は筐体１１１の裏面に近接する。表示部５０Ａ、５０Ｂでは、筐体１１１は薄肉部（一例として厚みｔ＝０．８〜１．０ｍｍ）である。筐体１１１の材質は例えばＰＣ（ポリカーボネート）やＡＢＳ（アクリロニトリル・ブタジエン・スチレン共重合体）であってもよく、樹脂色は、透光性のある白色または透明であってもよい。
【００４１】
樹脂色が透明の場合、筐体表面（表示部５０を含む）に白色系（一例）の塗装が施される。樹脂色が白色の場合、表示部５０を薄肉部としつつ、筐体表面は無塗装またはクリア塗装のみとしてもよい。この他にも、筐体の表面にフィルムをインサートし、その部分に表示させる構成としてもよい。
【００４２】
筐体内面のうち、表示部５０の周辺部１１７（図４参照）に遮光のためのグレーや黒の塗装をしてもよい。これにより、ＬＥＤ２６の光が表示部５０以外の部分を通じて筐体外から視認されることが防止される。
また、文字表示面３１ａでの光の拡散を抑えて文字をより明瞭に見ることができるように、文字表示面３１ａと筐体１１１の内面との間に拡散防止フィルム（不図示）を介在させるようにしてもよい。この拡散防止フィルムとしては市販のものを用いることができる。
【００４３】
図５は、導光部材アセンブリ２１等を下側から見た斜視図である。
この図に示すように、導光部材アセンブリ２１と基板２８との間には遮光シート２９が配置されている。この遮光シート２９には、各導光片２２ａ〜２２ｃ（図３参照）の輪郭形状に対応した複数の開口部が形成されている。このような遮光シート２９が設けられていることにより、あるＬＥＤから出射した光がそれに隣接する他のＬＥＤに対応する導光片に入射することが防止され、その結果、文字を明瞭に表示することが可能となる。
【００４４】
図５に示すように、筐体１１１の内面には導光部材アセンブリ２１等を囲む枠状のリブ５５が形成されている。このようなリブ５５が形成されていることにより、当該領域からの光の漏れを防止することができる。
【００４５】
上記のように構成された本実施形態の注入ヘッド１００の表示部５０は、ＬＥＤ２６を点灯させることにより、所定の文字が筐体１１１の表面に現れ、当該文字を筐体１１１の外から視認できる状態となる。例えば「１５０ｍｌ」という表示する場合、７セグメント表示部分に対応した所定のＬＥＤ２６と、「ｍｌ」の表示に対応したＬＥＤ２６とを点灯させる。各ＬＥＤ２６からの光は、それぞれ、対応する導光片２２ａ、２２ｂに向けて出射され、各導光片を通って文字表示面３１ａ側（筐体側）へと導かれる。
【００４６】
これにより、文字表示面３１ａ上で「１５０ｍｌ」の文字が光ることとなり、その光は、図４に示すように筐体１１１の薄肉部を透過して外部から視認される。
【００４７】
ＬＥＤ２６が点灯していない状態では、そのような文字を外部から視認できない状態となる。注入ヘッド１００の意匠性の観点から、ＬＥＤ２６が点灯していない状態では内部の文字表示ユニット２０等が外部から視認できないよう構成されていることが好ましい。
【００４８】
以上説明したような本実施形態の注入ヘッド１００の表示部５０Ａ、５０Ｂによれば、光源からの光が筐体１１１を透過することによって外部から視認される構成であり、そのため筐体１１１に開口部を形成する必要がない。この種の注入ヘッドにおいては、薬液注入後の残圧等によって、例えばシリンジ２００を注入ヘッド１００から取り外す際やシリンジ２００に接続されていたチューブ（不図示）を取り外す際などに造影剤等が漏れ出ることがある。このような場合に仮に造影剤等が注入ヘッド１００の表示部５０に付着したとしても、本実施形態の構成によれば、それらの薬液が筐体内に浸入することはない。
【００４９】
また、このような表示部５０の構成によれば、筐体１１１の表面をフラットに（すなわち、凹凸なく）形成することができるので、筐体に付着した造影剤を容易に拭き取ることも可能である。また、生理食塩水や抗がん剤等が付着した場合であっても、それらを容易に拭き取ることができる。
【００５０】
造影剤は乾燥すると糊状に固まるため、その拭き取りは生理食塩水の場合に比べて困難である。そのため、表示部５０を上記のような構成とすることは、造影剤を注入する装置である注入ヘッド１００に特に有用である。
【００５１】
また、本実施形態の文字表示ユニット２０は、基板上の複数のＬＥＤ２６と、そこからの光を導く複数の導光片２２ａ〜２２ｃとを用いて構成されたものであり、このような構成によれば、各導光片２２ａ〜２２ｃの高さを適宜変更することで曲面状の文字表示面３１ａを構成できるので、本実施形態のように曲面状の筐体部分（表示部５０Ａ）に良好に対応することができる。
【００５２】
仮に、市販されている文字表示面（上面）がフラットな７セグメント表示ユニットを利用して曲面状の表示部５０Ａに文字を表示しようとした場合、文字間で光がにじみ、筐体表面に明瞭に文字を表示することは困難である。
【００５３】
以上、本発明の一形態について具体的に説明したが、本発明は上記に限定されるものではなく種々変更可能である。
例えば、文字表示面３１ａに表示する文字は７セグメント表示の他にも、例えば複数の導光片（ＬＥＤ）の組み合わせで表示されるアルファベット文字であってもよい。本実施形態の構成によれば、ＬＥＤや導光片の配置を変えるだけで所望の文字を表示することができる。
【００５４】
文字表示ユニット２０は、導光部材アセンブリ２１に遮光カバー３１を被せて構成されるものの他にも、例えば、遮光カバー３１に相当する部分と導光部材アセンブリ２１に相当する部分とが二色成形（一例）で形成される一部品としてもよい。
【００５５】
ＬＥＤの色は特に限定されるものではないが、表示部５０Ａと表示部５０Ｂとで色を異ならせることで、それぞれが異なる薬液を表示していることが分かり易くなる。
【００５６】
上記では、注入ヘッドを例に説明したが、このような表示部は薬液（特に造影剤）が付着する可能性のある他の医療用機器（例えば、空のシリンジ内に薬液を吸引する薬液吸引器や、薬液ポンプなど）に適用することもできる。
【００５７】
筐体１１１の材質の樹脂色や、表示部５０となる筐体薄肉部の厚み等については、使用する光源（ＬＥＤ）の輝度などに応じて、適宜選択および調整すればよい。
【００５８】
〔第２の実施形態〕
上記実施形態では、複数の導光片２２ａ〜２２ｃを用いた例について説明したが、本発明はこれに限らず下記のようなものであってもよい。
図６は、ＬＥＤの上に配置される光路形成部材の側面図（半分は縦断面図）を示している。この光路形成部材２２２は、各ＬＥＤ２６（図３参照）を覆うような大きさに形成されたやや平たい部材であり、その上面は湾曲した文字表示面２３１ａとなっている。この部材２２２は一例として樹脂製であり、その材料は光透過性を有していない（もしくは非常に低い）例えば黒色の材料である。
【００５９】
光路形成部材２２２には、上記した各導光片２２ａ〜２２ｃに対応するような形状の導光孔が形成されている（図６では７セグメント表示に対応する導光孔２２２ａの１つのみが描かれている）。導光孔２２２ａは、部材の厚み方向（ＬＥＤの光軸方向）に形成されている。
【００６０】
このように構成された光路形成部材２２２の場合、ＬＥＤからの光は、導光孔２２２ａの内部の空気中を通って筐体側へと照射され、筐体の薄肉部を通じて外部から視認される。上記実施形態のように導光片を用いた場合（ＬＥＤの明るさにもよるが）、ＬＥＤからの光が筐体側に過剰に導かれ、筐体外部から見たときに文字がにじむ可能性がある。そのような場合には、図６のような部材２２２を利用することで筐体外部から見たときの文字のにじみを抑えることができ、明瞭な文字表示を実現することができる。
【００６１】
なお、上記実施形態同様、筐体外部からこの光路形成部材２２２を視認できないようにするために、部材上面に白色（一例）の塗装２２３が施されていることが好ましい。
【００６２】
〔第３の実施形態〕
上記の他にも、図７のような構成を採用してもよい。なお、図７は各部品の材質等について説明するための図面であり、実際の部品の形状を示したものではない。実際には、光路形成部材２２２′の上面および筐体１１１の一部は曲面状に形成されている。
この例では、光路形成部材２２２′の材質は白色の樹脂材料であり、好ましくは材料内に光反射材（一例として金属粒子など）が含有されている。
【００６３】
図７に示す筐体１１１の材質は例えば光透過性を備えた有色（例えばグレー）の樹脂材料であり、その表面には、光透過性を備えた塗装膜１１１ａ（例えば白色）が形成されている。なお、図示の都合上、塗装膜１１１ａと筐体１１１表面との間に隙間が生じているが、実際には、塗装膜１１１ａは筐体表面に形成されている。
【００６４】
このような構成によれば、光路形成部材２２２′の導光孔２２２ａ′の内面が白色（樹脂の生地色）となり、したがって図６のような黒色の場合と比べて、孔内での光の拡散がより顕著となる。その結果、導光孔２２２ａ′の上部開口部の全体がより明るくかつ均一に光ることとなる。
【００６５】
導光部２２２ａ′からの光は筐体１１１側へと出射され、筐体１１１および塗装膜１１１ａを透過して、外部から視認される。
ここで、仮に筐体１１１が透明の場合、筐体１１１を透過した光が塗装膜１１１ａ裏面で反射して再び筐体樹脂材料中へと進行し、そのような現象の結果、外部から見える文字の輪郭がぼやけるおそれがある。これに対して本実施形態では、筐体１１１が有色であり、光吸収性を備えた材質であるので、塗装膜裏面で反射した光は樹脂内において吸収され、その結果、透明の場合と比較して文字のぼやけが防止される。そのため、より明瞭に文字を表示することが可能となる。
【００６６】
なお、図７の構成の他の例として、例えば、塗装膜１１１ａに代えて光透光性のある蒸着膜が筐体表面に形成されてもよい。この場合、白色の塗装膜１１１ａの場合と比較して上記したような筐体樹脂材料中への反射は生じにくいので、筐体１１１の樹脂色は透明としてもよい。
また、図７の構成の他の例として、塗装膜１１１ａに代えて光透光性のあるフィルムが筐体表面に設けられていてもよい。
【００６７】
以上、本発明について幾つかの例を挙げて説明してきたが、本発明においては当然ながら、各例に記載された要素が適宜組み合わされてもよい。
【符号の説明】
【００６８】
２１  導光部材アセンブリ
２２ａ〜２２ｃ  導光片
２６  ＬＥＤ
２８  基板
３１  遮光カバー
３１ａ  文字表示面
３１ｂ  開口部
５０Ａ、５０Ｂ  表示部
５５  リブ
１００  注入ヘッド
１１１  筐体
１１１ａ  塗装膜
１１１Ａ  湾曲面
１１１Ｂ  水平面
１１３Ａ、１１３Ｂ  マニュアルノブ
１１７  周辺部
１２２  クランパー
２００Ａ、２００Ｂ  シリンジ
２２２、２２２′  光路形成部材
２２２ａ、２２２ａ′  導光孔
【図１】
0005964231.tif 000002
【図２】
0005964231.tif 000003
【図３】
0005964231.tif 000004
【図４】
0005964231.tif 000005
【図５】
0005964231.tif 000006
【図６】
0005964231.tif 000007
【図７】
0005964231.tif 000008